(57)【要約】【課題】  吸音構造体を壁面に取り付ける吸音構造体の支持構造であって、吸音構造体を壁面から距離を開けて配置することができ、取り付けやメンテナンスが容易である吸音構造体の支持構造を提供する。【解決手段】吸音構造体の支持構造１は、周壁部１８で囲われた内部が中空の吸音構造体３と、壁面２に固定される基端部４と、前記基端部４から突出する腕部５と、前記腕部５の先端に形成され、上向きに開く溝１３を有するフック形状であり、前記周壁部１８に設けられたスリット部１９に挿入されて、前記スリット部１９の上端を前記溝１３に受け入れる受け部６と、前記受け部６の前記溝１３に挿入され前記スリット部１９の上側の前記周壁部１８に密着するスペーサ７と、を備える。【選択図】図１
2019132972.tif 000002
【特許請求の範囲】
【請求項１】
周壁部で囲われた内部が中空の吸音構造体と、
壁面に固定される基端部と、
前記基端部から突出する腕部と、
前記腕部の先端に形成され、上向きに開く溝を有するフック形状であり、前記周壁部に設けられたスリット部に挿入されて、前記スリット部の上端を前記溝に受け入れる受け部と、
前記受け部の前記溝に挿入され前記スリット部の上側の前記周壁部に密着するスペーサと、
を備えることを特徴とする吸音構造体の支持構造。
【請求項２】
前記スペーサは前記受け部を挿入可能な長穴を有する平板状であり、当該長穴の上側が前記溝に受け入れられたときに、前記長穴の下側が前記スリット部の一部を覆う寸法であることを特徴とする請求項１に記載の吸音構造体の支持構造。
【請求項３】
前記腕部及び前記受け部は鉛直な面が形成される連続する平板状であり、
前記受け部の先端側下端は斜めに切りかかれた傾斜部を有することを特徴とする請求項２に記載の吸音構造体の支持構造。
【請求項４】
前記溝の幅は前記スペーサ及び前記周壁部の厚さの和に等しいことを特徴とする請求項１から請求項３のいずれかに記載の吸音構造体の支持構造。
【請求項５】
前記腕部及び前記受け部は鉛直な面が形成される連続する平板状であり、
前記溝の上端には先端方向に広がるガイド傾斜を有することを特徴とする請求項１から請求項４のいずれかに記載の吸音構造体の支持構造。
【請求項６】
前記腕部及び前記受け部は、水平方向に並べて平行に複数形成されており、
前記スリット部は複数の前記受け部にそれぞれ整合するように複数形成されることを特徴とする請求項１から請求項５のいずれかに記載の吸音構造体の支持構造。
【請求項７】
前記基端部は複数の前記腕部の間に貫通孔又は切欠きを有しており、当該貫通孔又は当該切欠きから前記腕部の間を通して間接照明用のケーブルが配線されることを特徴とする請求項６に記載の吸音構造体の支持構造。
【発明の詳細な説明】
【技術分野】
【０００１】
本発明は、屋内の壁面に吸音構造体を取り付ける吸音構造体の支持構造に関する。
【背景技術】
【０００２】
従来より、オーディオルームや音楽ホールなどの屋内空間において、音の反響を防ぐために、壁面に沿って種々の吸音構造体を配置した例が知られている。このような吸音構造体としては、例えば、長さの異なる複数の空洞を屋内空間の壁面に沿わせて配置した吸音構造体が提案されている（特許文献１参照）。
【０００３】
このような内部に空洞を有する吸音構造体は、その空洞の長さを予め設計しておくことで、特定の周波数の音域を集中的に吸音することができ、屋内空間の音の反響をより効果的に防ぐことができる。
【先行技術文献】
【特許文献】
【０００４】
【特許文献１】特開平０７−３０２０８７号公報
【発明の概要】
【発明が解決しようとする課題】
【０００５】
ところで、上述の吸音構造体は壁面等に直接当接されており、吸音構造体の共振が妨げられるおそれがあり、吸音構造体の設計どおりの吸音性能が発揮できない可能性がある。
【０００６】
そこで、本発明は吸音構造体を壁面に取り付ける吸音構造体の支持構造であって、吸音構造体を壁面から距離を開けて配置することができ、取り付けやメンテナンスが容易である吸音構造体の支持構造を提供することを目的とする。
【課題を解決するための手段】
【０００７】
本発明の吸音構造体の支持構造は、周壁部で囲われた内部が中空の吸音構造体と、壁面に固定される基端部と、前記基端部から突出する腕部と、前記腕部の先端に形成され、上向きに開く溝を有するフック形状であり、前記周壁部に設けられたスリット部に挿入されて、前記スリット部の上端を前記溝に受け入れる受け部と、前記受け部の前記溝に挿入され前記スリット部の上側の前記周壁部に密着するスペーサと、を備えることを特徴としている。
【０００８】
本発明の吸音構造体の支持構造は、前記スペーサは前記受け部を挿入可能な長穴を有する平板状であり、当該長穴の上側が前記溝に受け入れられたときに、前記長穴の下側が前記スリット部の一部を覆う寸法であることを特徴としている。
【０００９】
本発明の吸音構造体の支持構造は、前記腕部及び前記受け部は鉛直な面が形成される連続する平板状であり、前記受け部の先端側下端は斜めに切りかかれた傾斜部を有することを特徴としている。
【００１０】
本発明の吸音構造体の支持構造は、前記溝の幅は前記スペーサ及び前記周壁部の厚さの和に等しいことを特徴としている。
【００１１】
本発明の吸音構造体の支持構造は、前記腕部及び前記受け部は鉛直な面が形成される連続する平板状であり、前記溝の上端には先端方向に広がるガイド傾斜を有することを特徴としている。
【００１２】
本発明の吸音構造体の支持構造は、前記腕部及び前記受け部は、水平方向に並べて平行に複数形成されており、前記スリット部は複数の前記受け部にそれぞれ整合するように複数形成されることを特徴としている。
【００１３】
本発明の吸音構造体の支持構造は、前記基端部は複数の前記腕部の間に貫通孔又は切欠きを有しており、当該貫通孔又は当該切欠きから前記腕部の間を通して間接照明用のケーブルが配線されることを特徴としている。
【発明の効果】
【００１４】
本発明の吸音構造体の支持構造によると、基端部から突出する腕部によって壁面から距離を離した位置に吸音構造体を受ける受け部が形成されるので、吸音構造体を壁面から離れた位置に配置することができ、壁面の影響を受けることなく設計どおりの吸音性能を発揮することができる。また、受け部は上向きに開く溝を有するフック形状であり、当該溝にスペーサ及び吸音構造体のスリット部の上端が挿入されて当該スペーサがスリット部の上側の周壁部に密着するので、吸音構造体をぐらつくことがないように簡単に取り付けることができる。さらに、吸音構造体はフック形状の受け部の溝に引っ掛けられるように取り付けられているので、吸音構造体のメンテナンスの際には当該吸音構造体を簡単に取り外すことができる。
【００１５】
本発明の吸音構造体の支持構造によると、吸音構造体を受け部に取り付けたときに、スペーサが吸音構造体のスリット部の一部を覆うことになるので、吸音構造体のスリット部の外部に開口した部分を極力小さくすることができ、吸音構造体の吸音性能の変化を抑制することができる。
【００１６】
本発明の吸音構造体の支持構造によると、受け部の先端側下端に斜めに切りかかれた傾斜部が設けれることにより、受け部を挿入可能なスペーサの長穴の長さを短くすることができ、長穴の上端が溝に受け入れられたときにスペーサの長穴の下側の部分がスリット部をより大きく覆うことができるので、スリット部の外部に開口した部分をさらに小さくすることができ、吸音構造体の吸音性能の変化をより抑制することができる。
【００１７】
本発明の吸音構造体の支持構造によると、溝の幅がスペーサ及び周壁部の厚さの和に等しいので、スペーサ及びスリット部の上端を溝に受け入れると、溝とスリット部の上側の周壁部との間に隙間が生じるおそれがなく、吸音構造体をがたつきなく支持することができる。
【００１８】
本発明の吸音構造体の支持構造によると、溝の上端には先端方向に広がるガイド傾斜を有するので受け部を吸音構造体のスリット部に挿入する際にガイド傾斜によってより簡単にスリット部の上端を溝に導くことができる。
【００１９】
本発明の吸音構造体の支持構造によると、腕部及び受け部が水平方向に並べて平行に複数形成されており、スリット部は複数の受け部にそれぞれ整合するように複数形成されているので、より確実にぐらつきなく吸音構造体を支持することができる。
【００２０】
本発明の吸音構造体の支持構造によると、基端部は複数の腕部の間に貫通孔又は切欠きを有しており、当該貫通孔又は当該切欠きから腕部の間を通して間接照明用のケーブルが配線されるので、間接照明用のケーブルが室内の空間から視認されず意匠性を高めることができる。
【図面の簡単な説明】
【００２１】
【図１】吸音構造体の支持構造の全体構成を示す断面図。
【図２】基端部、腕部、及び受け部の構成を示す斜視図。
【図３】（Ａ）は基端部の形状を示す平面図であり、（Ｂ）は基端部の変形例を示す図。
【図４】スペーサの形状を示す斜視図。
【図５】吸音構造体の一例を示す斜視図。
【図６】受け部、スペーサ、及び吸音構造体の寸法を示す図。
【図７】スペーサの変形例を示す図。
【図８】吸音構造体の支持構造に間接照明を配置した状態を示す断面図。
【図９】受け部にスペーサを係止する状態を示す断面図。
【図１０】基端部を壁面にビス止めする状態を示す断面図。
【図１１】受け部に吸音構造体を係止する状態を示す断面図。
【発明を実施するための形態】
【００２２】
以下、本発明に係る吸音構造体の支持構造１の最良の実施形態について各図を参照しつつ説明する。吸音構造体の支持構造１は、例えばオーディオルームや音楽ホールなどの屋内空間の壁面２に吸音構造体３を支持するための構造である。吸音構造体の支持構造１は、図１に示すように壁面２に固定される基端部４と、基端部４から突出する腕部５と、腕部５の先端に形成される受け部６と、受け部６に係止されるスペーサ７と、スペーサ７に密着しつつ受け部６に引っ掛けられる吸音構造体３と、を備えている。
【００２３】
基端部４は、図２及び図３に示すように、平板状に形成されており、その上部に壁面２に固定するためのビス９を挿入する２つのビス孔８が形成されている。基端部４の両側縁からは腕部５がそれぞれ突出しており、基端部４はその両側縁の間に図３（Ａ）に示すように、切欠き１０が形成されている。基端部４に形成される切欠き１０は壁面２を貫通して配置される間接照明２１用のケーブル１２を挿通させるための切欠き１０であり、切欠き１０に変えて図３（Ｂ）に示すように貫通孔１１であってもよい。
【００２４】
腕部５は、図１及び図２に示すように、基端部４の両側縁から水平方向に突出するように形成された２本の部材である。２本の腕部５は互いに平行で鉛直な面を形成する平板状である。腕部５の先端に形成される受け部６は、上向きに開く溝１３を有するフック形状である。受け部６の先端側下端には斜めに切りかかれた傾斜部１４が形成されている。また、受け部６の溝１３の上端の先端側には先端方向に広がるガイド傾斜１５が形成されている。基端部４、腕部５、及び受け部６は１枚の金属板を基端部４の両側で折り曲げることにより形成されており、腕部５及び受け部６は連続する平板状である。
【００２５】
スペーサ７は、図４に示すように、四角い薄板状であり、鉛直方向に長い長穴１６が平行に２つ形成されている。スペーサ７の２つの長穴１６は、２つの受け部６をそれぞれ挿入可能に配置されており、受け部６が長穴１６に挿入され、当該長穴１６の上端が受け部６の溝１３に挿入されて、スペーサ７は受け部６に係止される。なお、スペーサ７の形状は長穴１６が形成される形状に限定されるものではなく、例えば図７に示すようにスペーサ７は、下側が開放された切り溝１７が平行に２本並べて形成されるものであってもよい。このように下側が開放されていても切り溝１７の上端が閉じているので、受け部６の溝１３に当該切り溝１７の上端を挿入して係止することができる。
【００２６】
吸音構造体３は、図５に示すように、周壁部１８で囲われた内部が中空の筒状の構造を有し、音の振動エネルギーを共振によって減衰させる装置である。吸音構造体３は、複数の長さの異なる断面矩形の紙管２０を並列に並べて形成している。吸音構造体３には、１つの紙管２０ごとにそれぞれ鉛直方向に長いスリット部１９が４か所形成されている。スリット部１９の形成される位置は周壁部１８の同じ面であり、且つ、同じ高さ位置に一対のスリット部１９が配置しており、この一対のスリット部１９が上下に異なる２つの高さ位置に配置されている。一対のスリット部１９は、互いに平行に配置されている受け部６がそれぞれ挿入可能な位置に配置されている。なお、本実施形態においては、吸音構造体３は複数の矩形紙管２０が互いに連続的に並べられて配置されているが、単独の紙管同士を隙間を開けて配置したものであってもよい。また、吸音構造体３は、紙管に限定されるものではなく、樹脂、木材、金属などの材料の中空体であってもよい。
【００２７】
吸音構造体３は、図１に示すように、スリット部１９に受け部６が挿入されて、スリット部１９の上端が受け部６の溝１３に挿入されることにより、受け部６に係止される。吸音構造体３とスペーサ７とは受け部６の溝１３内で密着しており、吸音構造体３が受け部６に対してがたつくことを抑制している。
【００２８】
吸音構造体の支持構造１の寸法は、腕部５の長さが１００ｍｍで、腕部５の高さが３０ｍｍである。また２つの腕部５の間の距離は芯々寸法が３０ｍｍである。吸音構造体３は、腕部５の長さが１００ｍｍあることから壁面２から１００ｍｍ離れた位置に配置されることができる。このように、壁面２から吸音構造体３までの距離を開けることで、吸音構造体３の共振への壁面２の影響を低下させることができ、吸音構造体３が設計どおりの吸音性能を発揮することができる。なお、腕部５の長さは１００ｍｍに限定されるものではなく、求められる吸音性能や部屋の広さなどの要素に応じて決定することができる。
【００２９】
受け部６の溝１３は、図６に示すように、その幅Ａが３ｍｍで深さが１５ｍｍに形成されている。また、溝１３の下端から受け部６の下端までの間の距離Ｄは１５ｍｍに形成されている。スペーサ７の長穴１６の長さＥは２０ｍｍに形成されており、吸音構造体３の周壁に形成されたスリット部１９の長さＦは３２ｍｍに形成されている。このように構成されると、受け部６の溝１３にスペーサ７の長穴１６及びスリット部１９の上端が挿入されて、スペーサ７及び吸音構造体３が固定されたときに、スペーサ７の長穴１６の下端は受け部６の下端から５ｍｍに位置し、スリット部１９の下端は受け部６の下端がから１７ｍｍに位置することになる。したがって、スペーサ７がスリット部１９の下端から１２ｍｍの位置までを覆うことになるので、吸音構造体３のスリット部１９の外部に開口した部分を小さくすることができ、吸音構造体３の吸音性能の変化を抑制することができる。
【００３０】
また、スペーサ７は厚さＢが１ｍｍであり、吸音構造体３の周壁部１８の厚さＣは２ｍｍである。すなわち、スペーサ７及び周壁部１８の厚さの和は、溝１３の幅Ａである３ｍｍに等しい。したがって、溝１３にスペーサ７及び周壁部１８が挿入されることにより、溝１３の幅全体が埋まることになるので、吸音構造体３のがたつきを抑制することができる。
【００３１】
吸音構造体の支持構造１は、図８に示すように、腕部５の間に設けられて壁面２を照らす間接照明２１を配置することもできる。間接照明２１は、壁面２を貫通するスリーブ孔２２によって壁内から導かれるケーブル１２が基端部４の切欠き１０又は貫通孔１１を通って腕部５の間に配線されて、腕部５の間に設けられた発光体２３に電力や制御信号を送信している。そして発光体２３が壁面２を照らすことによって、吸音構造体３の陰影をより際立たせて屋内空間の意匠性を向上させることができる。このように基端部４に切欠き１０又は貫通孔１１を有することで、間接照明２１用のケーブル１２は壁面２に設けられたスリーブ孔２２から直接腕部５の間に配線されるので、ケーブル１２が腕部５及び吸音構造体３に隠れることができ、配線が視認されることがなくより意匠性を高めることができる。
【００３２】
吸音構造体の支持構造１を施工する際には、まず、図９に示すように、スペーサ７の長穴１６に受け部６を挿入して、当該長穴１６の上端を受け部６の溝１３に挿入することで、スペーサ７を受け部６に係止する。このとき、受け部６の先端側下端には斜めに切りかかれた傾斜部１４が形成されており、また、受け部６の溝１３の上端の先端側には先端方向に広がるガイド傾斜１５が形成されているので、スペーサ７の長穴１６の長さが受け部６の鉛直方向の長さよりも短く形成されていたとしてもスペーサ７自体を斜め向けることでスペーサ７の長穴１６に受け部６を挿入することができ、長穴１６の上端を受け部６の溝１３に挿入することができる。またスペーサ７には２つの長穴１６が形成されており平行に配置された２つの受け部６にそれぞれ係止されることにより、２つの受け部６同士を連結することになるので、受け部６及び腕部５の弾性変形を抑制でき、この後の吸音構造体３を固定する工程を容易にすることができる。
【００３３】
受け部６にスペーサ７を係止すると次に、基端部４を壁面２に固定して腕部５及び受け部６を壁面２から水平方向に突出させる。基端部４の上部に設けられたビス孔８は図１０に示すように２つの腕部５よりも上に配置されているので、ビス９を打ち込む際に腕部５が邪魔になることを抑制できる。なお、壁面２は例えば石膏ボード製の内装材２４と、内装材２４の壁内側に設けられた補強合板２５とから成る。壁面２の構成はこれに限定されるものではない。
【００３４】
ビス孔８にビス９を打ち込んで腕部５及び受け部６を壁面２から水平方向に突出させると、次に、図１１に示すように、吸音構造体３のスリット部１９に受け部６を挿入させて、当該スリット部１９の上端の周壁部１８を受け部６の溝１３に挿入することで、吸音構造体３を受け部６に係止する。受け部６の溝１３の上端の先端側には先端方向に広がるガイド傾斜１５が形成されているので、スリット部１９の上端の周壁部１８をこのガイド傾斜１５に沿って下方に落とし込むことで簡単に溝１３にスリット部１９の上端の周壁部１８を挿入することができる。このようにして溝１３にはスペーサ７の長穴１６の上端とスリット部１９の上端の周壁部１８とが挿入されることになり、溝１３の幅がスペーサ７及び周壁部１８の厚さの和に等しいことから、溝１３がスペーサ７及び周壁部１８で充満するので、受け部６に係止された吸音構造体３ががたつくことなく固定される。
【００３５】
吸音構造体の支持構造１によると、吸音構造体３は腕部５によって壁面２から離れた位置に配置され、また、吸音構造体３は受け部６とは溝１３のみで接触することになるので、支持構造１が吸音構造体３の共振を妨げることを抑制することができる。また、スペーサ７により吸音構造体３に設けられたスリット部１９の一部を塞ぐので、スリット部１９の外部に開口した部分をなるべく小さくすることができる。したがって、吸音構造体３の吸音性能の変化を小さくすることができるので、吸音構造体３が設計どおりの音域の音を吸音することができる。さらに、吸音構造体３は受け部６の溝１３に引っ掛けられるように取り付けられているので、吸音構造体３のメンテナンスの際には当該吸音構造体３を簡単に取り外すことができる。
【００３６】
本発明の実施の形態は上述の形態に限ることなく、本発明の思想の範囲を逸脱しない範囲で適宜変更することができることは云うまでもない。
【産業上の利用可能性】
【００３７】
本発明に係る吸音構造体の支持構造１は例えばオーディオルームや音楽ホールのような音の反響を抑制したい屋内空間に配置する吸音構造体の支持構造１として好適に用いることができる。
【符号の説明】
【００３８】
１      吸音構造体の支持構造
２      壁面
３      吸音構造体
４      基端部
５      腕部
６      受け部
７      スペーサ
１０    切欠き
１１    貫通孔
１２    ケーブル
１３    溝
１４    傾斜部
１５    ガイド傾斜
１６    長穴
１８    周壁部
１９    スリット部
【図１】
2019132972.tif 000003
【図２】
2019132972.tif 000004
【図３】
2019132972.tif 000005
【図４】
2019132972.tif 000006
【図５】
2019132972.tif 000007
【図６】
2019132972.tif 000008
【図７】
2019132972.tif 000009
【図８】
2019132972.tif 000010
【図９】
2019132972.tif 000011
【図１０】
2019132972.tif 000012
【図１１】
2019132972.tif 000013